(57)【特許請求の範囲】
【請求項１】
複数利用者間相互の通信における利用者情報を管理するネットワーク利用者情報管理装置であって、
利用者を識別する利用者識別情報を各端末機器ごとに保持する利用者識別情報記憶手段と、
前記各端末機器の有する通信デバイス情報を管理する通信デバイス情報記憶手段と、
少なくとも前記利用者識別情報および前記通信デバイス情報を含む、前記各端末機器ごとの端末情報を送受信し、前記利用者識別情報を前記利用者識別情報記憶手段に格納し、前記通信デバイス情報を前記通信デバイス情報記憶手段に格納する端末情報通信手段と、
自身の端末機器が通信可能な前記各端末機器の前記利用者識別情報および前記通信デバイス情報を対応表示する利用者情報表示制御手段とを具備する
ことを特徴とするネットワーク利用者情報管理装置。
【請求項２】
前記端末情報通信手段は、
受信されるパケット中に記述される送信元端末機器の端末識別子に対応するエントリーが存在しない場合には、前記送信元端末機器に対して自端末情報の送信要求を行う
ことを特徴とする請求項１に記載のネットワーク利用者情報管理装置。
【請求項３】
前記通信デバイス情報は、
自身の端末機器と接続中であることを示す第１の通信状態値と、前記自身の端末機器と非接続かつ接続可能であることを示す第２の通信状態値とを含む
ことを特徴とする請求項１または２に記載のネットワーク利用者情報管理装置。
【請求項４】
複数利用者間相互の通信における利用者情報を管理するネットワーク利用者情報管理装置であって、
利用者を識別する利用者識別情報を各端末機器ごとに保持する利用者識別情報記憶手段と、
前記各端末機器の有する通信デバイス情報を管理する通信デバイス情報記憶手段と、
少なくとも前記利用者識別情報および前記通信デバイス情報を含む、前記各端末機器ごとの端末情報を送受信し、前記利用者識別情報を前記利用者識別情報記憶手段に格納し、前記通信デバイス情報を前記通信デバイス情報記憶手段に格納する端末情報通信手段と、
自身の端末機器が属するネットワークに接続される接続端末機器の総数を算出する端末台数算出手段と、
前記通信デバイス情報に基づき、現在ネットワークに非接続状態であり、かつ接続可能である自身の端末機器中の接続候補通信デバイスの有無を判断する自端末接続候補通信デバイス選択手段と、
前記通信デバイス情報に基づき、自身の端末機器中の接続候補通信デバイスに対応する他端末機器の接続候補通信デバイスの有無を判断する他端末接続候補通信デバイス検索手段と、
前記総数および前記他端末機器の接続候補通信デバイスの数に基づいて、自身の端末機器の通信デバイスを変更する通信デバイス変更手段とを具備する
ことを特徴とするネットワーク利用者情報管理装置。
【請求項５】
前記通信デバイス変更手段は、さらに、
前記総数および前記他端末機器の接続候補通信デバイスの数とを比較する通信デバイス数比較手段と、
現在ネットワークに接続されている通信デバイスの通信速度と前記接続候補通信デバイスの通信速度とを比較する通信速度比較手段とを具備し、
前記総数と前記他端末機器の接続候補通信デバイスの数が等しく、かつ前記接続候補通信デバイスの通信速度が現在ネットワークに接続されている通信デバイスの通信速度より速い場合に、現在ネットワークに接続中の通信デバイスから前記接続候補通信デバイスに、通信デバイスを変更する
ことを特徴とする請求項４に記載のネットワーク利用者情報管理装置。
【請求項６】
前記利用者情報表示制御手段は、自身の端末機器が属するネットワークに接続される接続端末機器の総数が所定の閾値より大きい場合には、前記利用者識別情報のみを表示する
ことを特徴とする請求項１乃至３のいずれか記載のネットワーク利用者情報管理装置。
【請求項７】
上記ネットワーク利用者情報管理装置は、さらに、自身の端末機器および他端末機器がそれぞれ属する通信セグメントの数を算出する通信セグメント数算出手段を具備し、
前記利用者情報表示制御手段は、前記通信セグメントの数が１である場合には、前記利用者情報のみを表示する
ことを特徴とする請求項１乃至３、５のいずれか記載のネットワーク利用者情報管理装置。
【請求項８】
前記利用者情報は、複数の通信セグメントにより構成されるネットワークの利用者情報である
ことを特徴とする請求項１乃至７のいずれか記載のネットワーク利用者情報管理装置。
【請求項９】
複数利用者間相互の通信における利用者情報を表示するネットワーク利用者情報表示方法であって、
利用者を識別する利用者識別情報を各端末機器ごとに取得する利用者識別情報取得ステップと、
前記各端末機器の有する通信デバイス情報を取得する通信デバイス情報取得ステップと、少なくとも前記利用者識別情報および前記通信デバイス情報を含む、前記各端末機器ごとの端末情報を送受信する端末情報送受信ステップと、
自身の端末機器が通信可能な前記各端末機器の前記利用者識別情報および前記通信デバイス情報を対応表示する利用者情報表示ステップとを含む
ことを特徴とするネットワーク利用者情報表示方法。
【請求項１０】
複数利用者間相互の電子会議における利用者情報を管理する電子会議利用装置であって、
利用者を識別する利用者識別情報を各端末機器ごとに保持する利用者識別情報記憶手段と、
前記各端末機器の有する通信デバイス情報を管理する通信デバイス情報記憶手段と、
少なくとも前記利用者識別情報および前記通信デバイス情報を含む、前記各端末機器ごとの端末情報を送受信し、前記利用者識別情報を前記利用者識別情報記憶手段に格納し、前記通信デバイス情報を前記通信デバイス情報記憶手段に格納する端末情報通信手段と、
自身の端末機器が通信可能な前記各端末機器の前記利用者情報および前記通信デバイス情報を対応表示する利用者情報表示制御手段とを具備する
ことを特徴とする電子会議利用装置。
【請求項１１】
複数の通信セグメントにより構成されるネットワークを介した電子会議の利用者情報を送信する電子会議利用者情報送信装置と、前記電子会議の利用者情報を受信する電子会議利用者情報受信装置とをネットワークを介して複数接続して成る電子会議システムであって、
前記電子会議利用者情報送信装置は、
自身の端末機器の利用者を識別する利用者識別情報を取得する利用者情報取得手段と、
自身の端末機器の有する通信デバイス情報を取得する通信デバイス情報取得手段と、
少なくとも前記利用者識別情報および前記通信デバイス情報を含む、前記自身の端末の端末情報を送信する端末情報送信手段とを具備し、
前記電子会議利用者情報受信装置は、
他端末機器からの前記端末情報を受信する端末情報受信手段と、
前記端末情報を蓄積保持する端末情報記憶手段と、
前記受信される端末情報が前記端末情報記憶手段に存在しない場合に、前記電子会議利用者情報送信装置に対して、前記端末情報の送信要求を行う端末情報送信要求手段とを具備する
ことを特徴とする電子会議システム。
【請求項１２】
複数利用者間相互の通信における利用者情報を管理するネットワーク利用者情報管理プログラムを記録するコンピュータ読み取り可能な記録媒体であって、
利用者を識別する利用者識別情報を各端末機器ごとに保持する利用者識別情報記憶処理と、
前記各端末機器の有する通信デバイス情報を管理する通信デバイス情報記憶処理と、
少なくとも前記利用者識別情報および前記通信デバイス情報を含む、前記各端末機器ごとの端末情報を送受信し、前記利用者識別情報を前記利用者識別情報記憶手段に格納し、前記通信デバイス情報を前記通信デバイス情報記憶手段に格納する端末情報通信処理と、
自身の端末機器が通信可能な前記各端末機器の前記利用者識別情報および前記通信デバイス情報を対応表示する利用者情報表示制御処理とを含む処理をコンピュータに実行せしめるネットワーク利用者情報管理プログラムを記録する
ことを特徴とするコンピュータ読み取り可能な記録媒体。
【発明の詳細な説明】
【０００１】
【発明の属する技術分野】
本発明は、ネットワーク利用者情報管理装置、ネットワーク利用者情報表示方法、電子会議利用装置および電子会議システムに関する。特に、複数の通信セグメントを接続するネットワーク環境において、多数の利用者が参加してグループ通信を行う際のネットワークの利用者情報を適切に提示するとともに、ネットワーク環境の最適化を実現するための技術に関する。
【０００２】
【従来の技術】
ネットワークを介して遠隔にある多数の利用者の参加を可能とする電子会議システムが実用化された。この電子会議システムは、多数の利用者が参加して複数の情報端末機器を用いてグループ通信を行い電子情報を共有するシステムの代表的なシステムである。この電子会議システムにおいては、会議開催の際に、ネットワークへの接続、および、通信可能な端末群の中から会議メンバの選定を行う必要がある。
【０００３】
この会議メンバの選定を行うために、ネットワークに接続している端末の利用者情報を会議参加候補端末として表示することが一般的である。この利用者情報とは、例えば、利用者の名前や電子メールアドレスなどであり、ユーザが端末を識別するために用いられる。
【０００４】
また、ネットワークに接続するためには、予め接続されている通信デバイスを用いてシステムが自動的にネットワークへ接続したり、あるいは、ユーザが電話をかけるといったネットワークへの接続操作によりネットワークに接続していた。従来の電子会議システムでは、単一のセグメント上で会議が開催されていたため、ネットワークの接続に関して、自端末や他端末がどのようなデバイスを用いて接続しているかを気にする必要がなかった。尚、通信デバイスとは、通信インターフェースと同義である。また、セグメントとは、共通の通信デバイスを用いて通信を行うネットワーク中のグループをいう。
【０００５】
一方、近年、ＩｒＤＡ（Ｉｎｆｒａｒｅｄ  Ｄａｔａ  Ａｓｓｏｃｉａｔｉｏｎ）やＬＡＮ、高速モデムなど様々な通信デバイスが混在するネットワークが一般的となった。また、特願平８−０５７９６４「パケット転送方法およびパケット転送システム」に開示されているように、これら複数の通信デバイスから成る複数セグメントを相互接続してグループ間通信を行うといったことも可能となった。また、特願平１０−２２８９８６「通信制御装置および通信制御方法」に記載されているように、異なるセグメントに接続する情報を取得することも可能となった。
【０００６】
しかしながら、従来の電子会議システムには、以下の問題点があった。
【０００７】
すなわち、複数の様々な通信デバイスが混在した環境において従来の電子会議システムを用いると、物理的な通信デバイスを気にすることなく会議が開けるといった利点がある。他方、速度の速い通信デバイスが速度の遅いものの影響を受け、元々持っている転送速度よりも遅くなる場合がある。しかし、ユーザはこの転送速度の低下を認識することができずに混乱してしまう、という第１の問題点があった。
【０００８】
また、従来の電子会議では、使用する通信デバイスを毎回ユーザが選択したり、あるいは一度設定した通信デバイスを次回から使用するといったものが多かった。このため、設定された通信デバイスが必ずしも、当該会議で使用されるネットワーク内で最適なものかどうか分からないという第２の問題点があった。
【０００９】
さらに、電子会議を開催するために様々な通信デバイスが利用できるネットワーク環境の場合、電子会議に参加する人数の多くなる可能性がある。しかし、従来の表示では、人数が多くなると、表示画面に入りきらず、一見してユーザが全体を把握することが難しい、といった第３の問題点があった。これを回避するには、ユーザが手でスクロールする必要があり、操作が煩雑であった。
【００１０】
【発明が解決しようとする課題】
上述したように、従来は、複数の通信デバイスが混在した環境では、速度の速い通信デバイスが速度の遅いものの影響を受けていることをユーザが認識することができず、混乱してしまう、といった問題があった。さらに、設定された通信デバイスが必ずしも、会議で使用されるネットワーク内で最適なものかどうか分からなかった。
【００１１】
また、電子会議に参加する人数が多くなると、画面に入りきらず、一見してユーザが人数などの全体像を把握することが難しい、といった問題があった。
【００１２】
以上説明したように、本発明は、上記の問題点を解決するためになされたものである。
【００１３】
そして、その目的とするところは、複数の通信セグメントを接続するネットワーク環境において、多数の利用者が参加してグループ通信を行う際に必要となるネットワークの利用者情報を容易に提示することのできるネットワーク利用者情報管理装置、ネットワーク利用者情報表示方法、電子会議利用装置および電子会議システムを提供することにある。
【００１４】
また、他の目的は、複数の通信セグメントを接続するネットワーク環境における通信デバイスを状況に応じて最適化する点にある。
【００１５】
また、他の目的は、ネットワークの利用状況に応じて、ネットワーク利用者情報の提示を最適化する点にある。
【００１６】
【課題を解決するための手段】
上記の課題を解決するための本発明の特徴は、複数セグメントを接続するネットワーク環境において、ネットワークの利用状況を示す利用者情報を最適かつ容易に提示する点にある。また、このネットワーク利用状況に応じて通信デバイスを最適化する点にある。
【００１７】
かかる機能を実現するための、本発明の第１の特徴は、複数利用者間相互の通信における利用者情報を管理するネットワーク利用者情報管理装置であって、利用者を識別する利用者識別情報を各端末機器ごとに保持する利用者識別情報記憶手段と、前記各端末機器の有する通信デバイス情報を管理する通信デバイス情報記憶手段と、少なくとも前記利用者識別情報および前記通信デバイス情報を含む、前記各端末機器ごとの端末情報を送受信し、前記利用者識別情報を前記利用者識別情報記憶手段に格納し、前記通信デバイス情報を前記通信デバイス情報記憶手段に格納する端末情報通信手段と、前記自身の端末機器が通信可能な前記各端末機器の前記利用者識別情報および前記通信デバイス情報を対応表示する利用者情報表示制御手段とを具備することを特徴とするネットワーク利用者情報管理装置を提供する点にある。
【００１８】
上記構成によれば、各端末の保持する通信デバイスを利用者識別情報と共に表示することができる。従って、複数セグメント間で行われる電子会議などのグループ通信の際、ユーザーに速度能力の異なる複数の通信デバイスが存在することを認識させることができる。
【００１９】
また、本発明の第２の特徴は、前記端末情報通信手段は、受信されるパケット中に記述される送信元端末機器の端末識別子に対応するエントリーが存在しない場合には、前記送信元端末機器に対して自端末情報の送信要求を行う点にある。
【００２０】
また、本発明の第３の特徴は、前記通信デバイス情報は、自身の端末機器と接続中であることを示す第１の通信状態値と、前記自端末機器と非接続かつ接続可能であることを示す第２の通信状態値とを含む点にある。
【００２１】
上記構成によれば、ネットワークに接続される各端末の通信デバイスの状態を容易に把握させることができる。
【００２２】
また、本発明の第４の特徴は、複数利用者間相互の通信における利用者情報を管理するネットワーク利用者情報管理装置であって、利用者を識別する利用者識別情報を各端末機器ごとに保持する利用者識別情報記憶手段と、前記各端末機器の有する通信デバイス情報を管理する通信デバイス情報記憶手段と、少なくとも前記利用者識別情報および前記通信デバイス情報を含む、前記各端末機器ごとの端末情報を送受信し、前記利用者識別情報を前記利用者識別情報記憶手段に格納し、前記通信デバイス情報を前記通信デバイス情報記憶手段に格納する端末情報通信手段と、自身の端末機器が属するネットワークに接続される接続端末機器の総数を算出する端末台数算出手段と、前記通信デバイス情報に基づき、現在ネットワークに非接続状態であり、かつ接続可能である自身の端末機器中の接続候補通信デバイスの有無を判断する自端末接続候補通信デバイス選択手段と、前記通信デバイス情報に基づき、自身の端末機器中の接続候補通信デバイスに対応する他端末機器の接続候補通信デバイスの有無を判断する他端末接続候補通信デバイス検索手段と、前記総数および前記他端末機器の接続候補通信デバイスの数に基づいて、自身の端末機器の通信デバイスを変更する通信デバイス変更手段とを具備することを特徴とするネットワーク利用者情報管理装置を提供する点にある。
【００２３】
上記構成によれば、グループ通信を行うユーザー間で最も適した通信デバイスに自動的に再接続することができる。このため、グループ内全体の通信のスループットを向上させることができる。
【００２４】
また、本発明の第５の特徴は、前記通信デバイス変更手段は、さらに、前記総数および前記他端末機器の接続候補通信デバイスの数とを比較する通信デバイス数比較手段と、現在ネットワークに接続されている通信デバイスの通信速度と前記接続候補通信デバイスの通信速度とを比較する通信速度比較手段とを具備し、前記総数と前記他端末機器の接続候補通信デバイスの数が等しく、かつ前記接続候補通信デバイスの通信速度が現在ネットワークに接続されている通信デバイスの通信速度より速い場合に、現在ネットワークに接続中の通信デバイスから前記接続候補通信デバイスに、通信デバイスを変更する点にある。
【００２５】
上記構成によれば、通信デバイスの変更の可否を容易に判断することができる。
【００２６】
また、本発明の第６の特徴は、前記利用者情報表示手段は、前記総数が所定の閾値より大きい場合には、前記利用者識別情報のみを表示する点にある。
【００２７】
上記構成によれば、ユーザーの数が多くなると自動的に、画面に表示する情報量を減らすことができる。このため、ユーザーが直感的に全体の利用状況を把握することができる。
【００２８】
また、本発明の第７の特徴は、上記ネットワーク利用者情報管理装置は、さらに、自身の端末機器および他端末機器がそれぞれ属する通信セグメントの数を算出する通信セグメント数算出手段を具備し、前記利用者情報表示制御手段は、前記通信セグメントの数が１である場合には、前記利用者情報のみを表示する点にある。
【００２９】
上記構成によれば、用いられている通信セグメントの数に応じて利用者情報の表示内容を変更することができる。このため、必要な情報だけを効率的にユーザーに伝えることができる。
【００３０】
また、本発明の第８の特徴は、前記利用者情報は、複数の通信セグメントにより構成されるネットワークの利用者情報である点にある。
【００３１】
上記構成によれば、複数の通信セグメントを接続するネットワークにおける利用者情報を、利用者に対して適切かつ効率よく提示することができる。
【００３２】
また、本発明の第９の特徴は、複数利用者間相互の通信における利用者情報を表示するネットワーク利用者情報表示方法であって、利用者を識別する利用者識別情報を各端末機器ごとに取得する利用者識別情報取得ステップと、前記各端末機器の有する通信デバイス情報を取得する通信デバイス情報取得ステップと、少なくとも前記利用者識別情報および前記通信デバイス情報を含む、前記各端末機器ごとの端末情報を送受信する端末情報送受信ステップと、前記自身の端末機器が通信可能な前記各端末機器の前記利用者識別情報および前記通信デバイス情報を対応表示する利用者情報表示ステップとを含むことを特徴とするネットワーク利用者情報表示方法を提供する点にある。
【００３３】
上記構成によれば、各端末の保持する通信デバイスを利用者識別情報と共に表示することができる。従って、複数セグメント間で行われる電子会議などのグループ通信の際、ユーザーに速度能力の異なる複数の通信デバイスが存在することを認識させることができる。
【００３４】
また、本発明の第１０の特徴は、複数利用者間相互の電子会議における利用者情報を管理する電子会議利用装置であって、利用者を識別する利用者識別情報を各端末機器ごとに保持する利用者識別情報記憶手段と、前記各端末機器の有する通信デバイス情報を管理する通信デバイス情報記憶手段と、少なくとも前記利用者識別情報および前記通信デバイス情報を含む、前記各端末機器ごとの端末情報を送受信し、前記利用者識別情報を前記利用者識別情報記憶手段に格納し、前記通信デバイス情報を前記通信デバイス情報記憶手段に格納する端末情報通信手段と、前記自身の端末機器が通信可能な前記各端末機器の前記利用者識別情報および前記通信デバイス情報を対応表示する利用者情報表示制御手段とを具備することを特徴とする電子会議利用装置を提供する点にある。
【００３５】
上記構成によれば、電子会議を行う際に、各端末の保持する通信デバイスを利用者識別情報と共に表示することができる。従って、複数セグメント間で行われる電子会議などのグループ通信の際、ユーザーに速度能力の異なる複数の通信デバイスが存在することを認識させることができる。
【００３６】
また、本発明の第１１の特徴は、複数の通信セグメントにより構成されるネットワークを介した電子会議の利用者情報を送信する電子会議利用者情報送信装置と、前記電子会議の利用者情報を受信する電子会議利用者情報受信装置とをネットワークを介して複数接続して成る電子会議システムであって、前記電子会議利用者情報送信装置は、自身の端末機器の利用者を識別する利用者識別情報を取得する利用者情報取得手段と、自身の端末機器の有する通信デバイス情報を取得する通信デバイス情報取得手段と、少なくとも前記利用者識別情報および前記通信デバイス情報を含む、前記自身の端末の端末情報を送信する端末情報送信手段とを具備し、前記電子会議利用者情報受信装置は、他端末機器からの前記端末情報を受信する端末情報受信手段と、前記端末情報を蓄積保持する端末情報記憶手段と、前記受信される端末情報が前記端末情報記憶手段に存在しない場合に、前記電子会議利用者情報送信装置に対して、前記端末情報の送信要求を行う端末情報送信要求手段とを具備することを特徴とする電子会議システムを提供する点にある。
【００３７】
上記構成によれば、電子会議を行う際に、各端末の保持する通信デバイスを利用者識別情報と共に表示することができる。従って、複数セグメント間で行われる電子会議などのグループ通信の際、ユーザーに速度能力の異なる複数の通信デバイスが存在することを認識させることができる。
【００３８】
また、本発明の第１２の特徴は、複数利用者間相互の通信における利用者情報を管理するネットワーク利用者情報管理プログラムを記録するコンピュータ読み取り可能な記録媒体であって、利用者を識別する利用者識別情報を各端末機器ごとに保持する利用者識別情報記憶処理と、前記各端末機器の有する通信デバイス情報を管理する通信デバイス情報記憶処理と、少なくとも前記利用者識別情報および前記通信デバイス情報を含む、前記各端末機器ごとの端末情報を送受信し、前記利用者識別情報を前記利用者識別情報記憶手段に格納し、前記通信デバイス情報を前記通信デバイス情報記憶手段に格納する端末情報通信処理と、前記自身の端末機器が通信可能な前記各端末機器の前記利用者識別情報および前記通信デバイス情報を対応表示する利用者情報表示制御処理とを含む処理をコンピュータに実行せしめるネットワーク利用者情報管理プログラムを記録することを特徴とするコンピュータ読み取り可能な記録媒体を提供する点にある。
【００３９】
上記構成によれば、各端末の保持する通信デバイスを利用者識別情報と共に表示することができる。従って、複数セグメント間で行われる電子会議などのグループ通信の際、ユーザーに速度能力の異なる複数の通信デバイスが存在することを認識させることができる。
【００４０】
【発明の実施の形態】
以下、図面を参照して本発明の実施の形態を詳細に説明する。
【００４１】
第１の実施形態
以下、本発明の第１の実施形態を、図１乃至図４を用いて詳細に説明する。
【００４２】
第１の実施形態は、複数のセグメントを接続するネットワークにおいて、ネットワークの利用者情報を容易に提示する機能を提供する。
【００４３】
図１は、本発明の第１の実施形態に係るネットワーク利用者情報管理装置および電子会議利用装置および電子会議システムの機能構成を示すブロック図である。
【００４４】
図１に示すように、ネットワーク利用者情報管理装置を構成する端末２００、端末２１０、端末２２０は相互にネットワークを介して接続されて、電子会議システムなどのシステムを構成している。
【００４５】
端末２００は、それぞれ異なる通信デバイスを持つ通信部１０１，１０２と、自端末情報送信部１０３と、自端末通信デバイス管理部１０４と、自端末利用者情報管理部１０５と、他端末情報受信部１０６と、他端末通信デバイス管理部１０７と、他端末利用者情報管理部１０８と、利用者情報表示部１０９とを備えている。
【００４６】
端末２１０は、通信部１０１と、自端末情報送信部１０３と、自端末通信デバイス管理部１０４と、自端末利用者情報管理部１０５と、他端末情報受信部１０６と、他端末通信デバイス管理部１０７と、他端末利用者情報管理部１０８と、利用者情報表示部１０９とを備えている。
【００４７】
端末２２０は、通信部１０２と、自端末情報送信部１０３と、自端末通信デバイス管理部１０４と、自端末利用者情報管理部１０５と、他端末情報受信部１０６と、他端末通信デバイス管理部１０７と、他端末利用者情報管理部１０８と、利用者情報表示部１０９とを備えている。
【００４８】
尚、端末２００、２１０、２２０は、請求項におけるネットワーク利用者情報管理装置および電子会議利用装置に対応する。また、端末２００、２１０、２２０の上記の構成は一例であり、各端末は１つ或いは複数の通信デバイスに対応する通信部を備えて構成されてよい。
【００４９】
通信部１０１，１０２は、ネットワークを介して接続された端末間の通信を行う。また、通信部１０１、１０２は、それぞれの通信デバイス情報を自端末通信手段管理部１０４へ供給する。尚、セグメントとは、共通の通信デバイス間で共通の通信プロトコルにより通信が行われるネットワーク中のグループをいう。図１においては、端末２００の通信部１０１と端末２２０の通信部１０１とは同一通信デバイスを有し、セグメントａに属する。一方、端末２００の通信部１０２と、端末２１０の通信部１０１とは他の同一通信デバイスを有し、セグメントｂに属する。
【００５０】
自端末情報送信部１０３は、自端末の利用者情報と通信手段情報を通信部１０１，１０２を通して他端末へ送信する。
【００５１】
自端末通信デバイス管理部１０４は、通信部１０１，１０２から自端末の保持する全ての通信デバイス情報を取得する。取得した通信デバイス情報を、利用者情報表示部１０９へ供給する。同時に、自端末通信デバイス管理部１０４は、自端末情報送信部１０３、通信部１０１、１０２を介して他端末へ送信する。尚、この通信デバイス情報は、各通信デバイスが、ネットワークに接続中、非接続状態かつ接続可能、および接続不可能等の当該通信デバイスの状態を示す情報を含む。
【００５２】
自端末利用者情報管理部１０５は、自端末の利用者情報を管理する。この利用者情報とは、自端末を一意に識別する自端末識別子、および例えば端末を利用するユーザ名などの情報を含む。自端末通信デバイス管理部１０５は、この利用者情報を利用者情報表示部１０９へ提供する。同時に、自端末利用者情報管理部１０５は、この利用者情報を、自端情報送信部１０３、通信部１０１、１０２を介して他端末へ送信する。
【００５３】
自端末情報受信部１０６は、通信部１０１，１０２を介して他端末の通信デバイス情報および利用者情報を受信する。自端末情報受信部１０６は、この受信した情報のうち、他端末の通信デバイスに関する情報を他端末通信手段管理部１０７へ受け渡す。一方、端末の利用者情報に関するものを他端末利用者情報管理部１０８へ受け渡す。
【００５４】
他端末通信デバイス管理部１０７は、他端末情報受信部１０６から受け取った他端末の通信デバイス情報を保持する。同時に、この他端末の通信デバイス情報を利用者情報表示部１０９へ供給する。
【００５５】
他端末利用者情報管理部１０８は、他端末情報受信部１０６より受け取った他端末の利用者情報を保持する。同時に、この利用者情報を利用者情報表示部１０９へ供給する。
【００５６】
利用者情報表示部１０９は、自端末の通信デバイス情報、他端末の通信デバイス情報、自端末の利用者情報、他端末の利用者情報を、それぞれ、自端末通信デバイス管理部１０４、自端末利用者情報管理部１０５、他端末通信デバイス管理部１０７および他端末利用者情報管理部１０８より取得し、これらの情報をネットワークの利用者情報として表示する。
【００５７】
次に、第１の実施形態におけるハードウエア構成を説明する。本発明に係るネットワーク利用者情報管理装置は、ワークステーション、汎用コンピュータ、ＰＣ、各種携帯情報端末などの各種コンピュータ単体又は各コンピュータを相互接続したネットワークシステムに実装される。各ネットワーク利用情報管理装置は、ネットワークを介して接続される。また、各ネットワーク利用情報管理装置は、上記の通信部１０１、１０２、自端末情報送信部１０３、自端末通信デバイス管理部１０４、自端末利用者情報管理部１０５、他端末通信デバイス管理部１０７、他端末利用者情報管理部１０８および利用者情報表示部１０９の各部をすべて具備することを要しない。例えば、各ネットワーク利用情報管理装置は、通信部１０１および利用者情報表示部１０９のみを具備し、他のネットワーク利用情報管理装置あるいはサーバー上に他の各部を配置してもよく、この他各部の配置は任意である。
【００５８】
各コンピュータは、ＣＰＵと、データメモリと、プログラムメモリと、通信インターフェースと、入力部と、出力部とを具備する。さらに、外部記憶装置に接続されてもよい。ＣＰＵは、ネットワーク利用者情報管理装置およびネットワーク利用者情報表示方法を実現するソフトウエアを制御することにより、第１の実施形態を実現する。
【００５９】
尚、本発明に係るネットワーク利用者情報管理および電子会議利用の各種処理を実現するためのプログラムは、各種記録媒体に保存することができる。かかる記録媒体を、上記ハードウエアを具備するコンピュータのＣＰＵにより読み出し、当該プログラムを実行することにより、本発明が実施される。ここで、記録媒体とは、例えば、半導体メモリ・磁気ディスク（フロッピーディスク・ハードディスク）・光ディスク（ＣＤ−ＲＯＭ・ＤＶＤ等）、プログラムを記録することのできる装置全般を含む。さらに、上記プログラムは、ネットワークなどの各種通信手段を通じて配布されてもよい。
【００６０】
本発明の第１の実施形態は上記のように構成されており、以下その処理の流れを図２および図３を用いて順に説明する。
【００６１】
図２は、第１の実施形態に係るネットワーク利用者情報管理装置が新たにネットワークに接続する際の処理手順を示すフローチャートである。
【００６２】
図２に示すように、まず、自端末がネットワークに新たに接続すると、通信部１０１，１０２は、自端末利用者情報管理部１０５および自端末通信デバイス管理部１０４へネットワークへの接続通知を行う（Ｓ２０１）。自端末利用者情報管理部１０５は、自端末の利用者情報を取得し、この自端末の利用者情報を自端末情報送信部１０３へ受け渡す（Ｓ２０２）。
【００６３】
自端末通信デバイス管理部１０４は、通信部１０１，１０２から、各々「ＬＡＮ」や「ＩｒＤＡ」などの通信デバイスの種類、また、「ＴＯＳＨＩＢＡ  ＷａｖｅＣｏｍ」などの各種通信デバイス属性を含む通信デバイス情報を取得する（Ｓ２０３）。この場合、端末２２０の通信部１０２のように、実際にネットワークへ接続はしていないが使用可能な通信デバイスがあれば、この情報も含む。自端末通信デバイス管理部１０４は、全ての通信部１０１，１０２から通信デバイス情報を取得した後、自端末情報送信部１０３へ送信要求を行う。同時に自端末通信デバイス管理部１０４は、自端末の利用者情報表示の更新要求として、これらの通信デバイス情報を利用者情報表示部１０９に送信する。自端末情報の送信要求を受けた自端末情報送信部１０３は、取得した情報に自端末の識別子を付与し送信パケットを生成する。そして、接続している全ての通信部に送信要求を送信する（Ｓ２０４）。
【００６４】
自端末の利用者情報表示の更新要求を受けた利用者情報表示部１０９は、自端末利用者情報管理部１０５，他端末通信デバイス管理部１０７，他端末利用者情報管理部１０８がそれぞれ保持する自端末の利用者情報、他端末の通信デバイス情報およびこれに対応する他端末の利用者情報を取得し、これらの情報を利用者情報として表示する（Ｓ２０５）。
【００６５】
次に、第１の実施形態に係るネットワーク利用者情報管理装置が、他の端末からの端末情報を含む送信パケットを受信する際の処理手順を説明する。
【００６６】
図３は、第１の実施形態に係るネットワーク利用者情報管理装置が、このパケットを受信する際の処理手順を示すフローチャートである。
【００６７】
図３に示すように、ネットワークを介して通信部へ他端末情報パケットが到着すると、通信部１０１あるいは１０２は、他端末情報受信部１０６へパケットの到着を通知する（Ｓ２１１）。
【００６８】
他端末情報受信部１０６は、パケットを検査し、他端末利用者情報に関する情報は、他端末利用者情報部へ受け渡す（Ｓ２１２）。一方、他端末通信デバイス情報に関する情報は、他端末通信デバイス管理部１０７へ受け渡す（Ｓ２１３）。
【００６９】
他端末利用者情報管理部１０８は、パケット中に付与された送信元の端末識別子と同じ端末識別子に対応するエントリーが他端末利用者情報管理部１０８の中にあるか否かを検索する（Ｓ２１４）。送信元の端末識別子のエントリーがあれば（Ｓ２１４Ｎ）、受信した端末情報に含まれる利用者情報により当該エントリーを更新する。一方、送信元の端末識別子のエントリーがなければ、新たな端末として、新しくエントリを作成する。この新たなエントリーに受信した利用者情報を格納する。
【００７０】
同様に、他端末通信デバイス管理部１０７は、パケット中に付与された端末識別子と同じ端末識別子に対応するエントリーが他端末通信手段管理部１０７の中にあるか否かを検索する（Ｓ２１４）。送信元の端末識別子のエントリーがあれば（Ｓ２１４Ｎ）、受信した端末情報に含まれる通信デバイス情報により当該エントリーを更新する。一方、送信元の端末識別子のエントリーがなければ、新たな端末として、新しくエントリを作成する。この新たなエントリーに受信した通信デバイス情報を格納する。
【００７１】
新たな端末の場合、通信部は、送信元端末に対して自端末の端末情報を送信するべく自端末情報送信部１０３へ通知を行う。この自端末情報の他端末に対する送信手順は、図２に示すステップＳ２０１〜Ｓ２０５（Ｓ２００）の手順に従い実行される（Ｓ２１５）。これらの手順の実行により、自端末情報が他端末に対して送信される。
【００７２】
最後に、利用者情報表示を更新するために、利用者情報表示部１０９は、自端末通信デバイス管理部１０４，自端末利用者情報管理部１０５，他端末利用者情報管理部１０８，他端末通信デバイス管理部１０７から必要な情報を取得して表示する（Ｓ２１６）。
【００７３】
図４に、以上の手順により更新された利用者情報表示の具体例を示す。ここでは、各ユーザＡ，Ｂ，Ｃは同一の電子会議の参加者であるとする。すなわち、各ユーザＡ，Ｂ，Ｃはグループ通信を行うメンバであるとする。図４に示すように、利用者情報として、ユーザ名、ＬＡＮ１，ＩｒＤＡ等の通信デバイスの状態、端末識別子等の属性情報が当該電子会議に参加する各ユーザーごとに表示されている。ユーザＡ（端末２００）は、ＬＡＮおよびＩｒＤＡの通信デバイスでネットワークに接続している。ユーザＢ（端末２２０）は、ＬＡＮとＩｒＤＡの通信デバイスを持っているが、ＬＡＮは非接続中であり現在ＩｒＤＡでのみ接続している。この非接続状態であることは、表示画面中の該当領域（図４中の破線領域）を強調表示など他の領域と識別可能に表示することによりユーザーに注意喚起される。ユーザＣ（端末２１０）は、ＬＡＮのみでネットワークに接続していることが理解される。ここで、例えばユーザＣは、自端末は速度の速いＬＡＮで接続されているが、同じグループ通信のメンバであるユーザＢはＩｒＤＡで接続されていることを知ることができる。尚、第１の実施形態に係るネットワーク利用者情報管理装置は、上記の電子会議に限らず、複数のユーザによりグループ通信を行うための各種処理一般に用いることができることは言うまでもない。
【００７４】
第１の実施形態によれば、以下の効果が得られる。
【００７５】
利用者情報表示部１０９は、他端末との端末情報の送受信により、他端末の利用者情報・通信デバイス情報、自端末の利用者情報・通信デバイス情報をそれぞれ対応付け、利用者情報として表示する。これらの利用者情報は、自端末通信デバイス管理部１０４、自端末利用者情報管理部１０５、他端末通信デバイス管理部１０７、他端末利用者情報管理部１０８から取得される。
【００７６】
このため、多数の利用者が参加してデータの送受信を行う際に必要となるネットワークの利用情報を容易に提示することができる。特に、他端末の保持する通信デバイス情報を表示することができるので、複数セグメント間で例えば電子会議を行う際に、ユーザは速度能力の異なる複数の通信デバイスが存在することを認識することができる。
【００７７】
第２の実施形態
以下、本発明の第２の実施形態を、第１の実施形態と異なる点についてのみ、図５および図６を参照して詳細に説明する。
【００７８】
第２の実施形態は、第１の実施形態に加えてさらに、グループ間の通信に用いる通信デバイスを速度の速い通信デバイスに最適化する機能を提供する。
【００７９】
図５は、本発明の第２の実施形態に係るネットワーク利用者情報管理装置の機能構成を示すブロック図である。尚、図５において図１と同一部分には同一の符号を用い、異なる部分についてのみ説明する。すなわち図５に示すネットワーク利用者情報管理装置は、接続端末台数計測部１１１と、通信速度計測部１１３と、通信デバイス変更部１１４とを更に具備する。
【００８０】
接続端末台数計測部１１１は、現在ネットワークに接続されている端末の台数を計測する。
【００８１】
以下、この端末の台数の計測手法を説明する。例えば、他端末利用者情報管理部１０８に新たな端末が現れたことを示す通知が届いた時に、他端末利用者情報管理部１０８から、接続端末台数計測部１１１へ端末の増加通知を受け取って接続台数カウンタに１を加える。他方、ネットワークから端末が消えたことを示す通知が届いた時に、他端末利用者情報管理部１０８から、接続端末台数計測部１１１へ端末の減少通知を受け取って接続台数カウンタから１を減らす。あるいは、必要に応じて、他端末利用者情報管理部１０８が保持しているエントリーの数が示す端末の数を監視してもよい。
【００８２】
通信速度計測部１１３は、通信デバイス毎に、各通信デバイスを用いて送出されたパケットの送信速度を計測する。通信速度計測部１１３は、計測されたパケットの送信速度を、自端末通信デバイス管理部１０４へ通知する。
【００８３】
通信デバイス変更部１１４は、自端末および他端末の通信デバイス情報に従い、図５の手順に従って電子会議に使用する通信デバイスを変更する。あるいは、ユーザからの要求に従い当該電子会議に使用する通信デバイスを変更する。
【００８４】
以下、通信デバイス変更の処理手順を説明する。
【００８５】
図６は、第２の実施形態の通信デバイス変更処理の処理手順を示すフローチャートである。
【００８６】
自端末あるいは他端末の通信デバイス情報が更新されると、自端末通信デバイス管理部１０４は、自端末に接続可能であり、かつ実際にはネットワークに非接続状態である通信インターフェースがあるか否かを検索する（Ｓ５０１）。尚、第２の実施形態においてこの通信インターフェースは、通信デバイスと同義である。この使用可能通信インターフェースがなければ（Ｓ５０１Ｎ）処理を終了する。一方、この使用可能通信インターフェースがある場合には（Ｓ５０１Ｙ）、自端末通信デバイス情報管理部１０４は、他端末通信デバイス管理部１０７中を検索し、まだ接続されていない接続候補となる（即ち使用可能である）通信インターフェースを対象となる端末の端末情報中から検索する（Ｓ５０２）。尚、ここで、対象となる端末とは、例えば、ユーザ自身がすでに電子会議に参加していれば、電子会議への参加端末と設定される。他方ユーザ自身が未だ電子会議に非参加であれば、ネットワークに接続している全端末と設定されてよい。これらの対象となる端末数は、接続端末台数計測部１１１および必要に応じて他端末津信デバイス管理部１０７から取得される。
【００８７】
通信デバイス変更部１１４は、対象となる端末群の各端末が接続候補通信インターフェースを保持していたら、接続候補通信部保持数を示すカウンタに１を加える。対象となる端末群に属する全端末について接続候補通信インターフェースのカウント処理を繰り返す。
【００８８】
次に、通信デバイス変更部１１４は、通信インターフェースの接続の変更が必要か否かをチェックする（Ｓ５０３）。具体的には、接続候補通信インターフェースの検索が終了した際に、通信デバイス変更部１１４は、接続候補通信部保持数と対象端末数とを比較する。この比較結果が等しければ、さらに、接続候補通信インターフェースの通信速度と現在接続されている通信インターフェースの通信速度とを比較する。これらの通信速度は、各通信部に属する通信速度計測部１１３から取得される。この通信速度の比較において、接続候補の通信インターフェースの速度の方が現在接続されている通信インターフェースの速度よりも速ければ（Ｓ５０３Ｙ）、通信デバイス変更部１１４は、通信デバイスを変更する（Ｓ５０４）。同時に、通信部に対してネットワークへの接続要求を送信する。一方、上記以外の場合は（Ｓ５０３Ｎ）、通信インターフェースの変更処理は行われない。
【００８９】
通信デバイス変更部１１４は、同時に利用者情報表示部１０９に対して通信デバイスの変更情報を利用情報の変更情報として送信する（Ｓ５０５）。
【００９０】
利用者情報表示部１０９は、この変更情報により利用者情報を変更する。
【００９１】
第２の実施形態によれば、以下の効果が得られる。
【００９２】
通信デバイス変更部１１４は、グループ通信に用いる通信デバイスを、当該グループ通信を行うユーザー間で最も最適な通信デバイスに自動的に変更する。従来、ネットワークへの接続切断は、ユーザが手動で行う場合が多かったため、複数の通信デバイスを用いる場合、速度の速いデバイスが使用できるにもかかわらず、最初に設定した遅いデバイスを用いる場合があった。
【００９３】
他方、第２の実施形態によれば、電子会議を行うメンバ間で最も適した通信デバイスに自動的に接続することができる。このため、結果としてグループ内全体のスループットを上げることが可能になる。
【００９４】
第３の実施形態
以下、本発明の第３の実施形態を、第１及び第２の実施形態と異なる点についてのみ、図７乃至図９を参照して詳細に説明する。
【００９５】
第３の実施形態は、上記の実施形態に加えてさらに、ネットワーク上のグループ通信の参加端末台数に応じて利用情報の表示を最適化する機能を提供する。
【００９６】
図７は、本発明の第３の実施形態に係るネットワーク利用者情報管理装置の機能構成を示すブロック図である。尚、図７において図１乃至図５と同一部分には同一の符号を用い、異なる部分についてのみ説明する。すなわち図５に示すネットワーク利用者情報管理装置は、利用者情報表示選択部１２１を更に具備する。
【００９７】
利用情報表示選択部１２１は、自端末通信デバイス管理部１０４，自端末利用者情報管理部１０５，他端末通信デバイス管理部１０７，他端末利用者情報管理部１０８で保持されている情報の中から、利用情報として表示すべき情報を選択する。
【００９８】
接続端末台数計測部１１１は、第２の実施形態と同様の手法により、現在ネットワークに接続されている端末の台数を計測する。
【００９９】
以下、端末台数に応じた利用者情報表示最適化処理の処理手順を説明する。
【０１００】
図８は、第３の実施形態の利用者情報表示最適化処理の処理手順を示すフローチャートである。
【０１０１】
利用者情報表示部１０９は、端末情報変更通知を受信する（Ｓ６０１）。利用者情報表示部１０９は、接続端末台数計測部１１１に、ネットワークに接続されている端末の台数を問い合わせる。問い合わせを受けた接続端末台数計測部１１１は、前述の方法などで計測した端末の台数を送信する（Ｓ６０２）。この端末台数と閾値とが比較される（Ｓ６０３）。この端末の台数が、所定の閾値よりも大きければ（Ｓ６０３Ｙ）、利用者情報表示選択部１２１に簡略情報取得要求を出す（Ｓ６０４）。一方、この端末の台数が、閾値よりも小さければ（Ｓ６０３Ｎ）、利用者情報表示選択部１２１に詳細情報取得要求を出す（Ｓ６０５）。この閾値は、例えば、利用者情報表示部１０９のウィンドウに一覧表示できる最大数とされる。
【０１０２】
簡略情報取得要求を受信した利用者情報表示選択部１２１は、自端末利用者情報管理部１０５，他端末利用者情報管理部１０８から、例えば、ユーザの名前といった簡略な情報のみを取得し（Ｓ６０４）、利用者情報表示部１０９に表示要求を行う。一方、詳細情報取得要求が届いた利用者情報表示選択部１２１は、自端末利用者情報管理部１０５，自端末通信手段管理部１０４，他端末利用者情報管理部１０８，他端末通信手段管理部１０７から、各端末に関する詳細情報を取得し（Ｓ６０５）、利用者情報表示部１０９に表示要求を行う。
【０１０３】
利用者情報表示部１０９は、利用者情報表示選択部１２１が取得した情報を取得し、表示する（Ｓ６０６）。
【０１０４】
図４及び図９に、以上の手順により選択された利用者情報の表示の具体例を示す。
【０１０５】
図４では、ネットワークに接続している端末数が３台なので、ユーザ名、そのユーザが接続している通信デバイスの種類、ユーザが登録した情報、メールアドレスが表示されている。一方、ネットワークに接続されている端末数が多くなると、図９のように、ユーザ名のみを一覧表示するように切り替えられる。
【０１０６】
第３の実施形態によれば、以下の効果が得られる。
【０１０７】
利用者情報表示部１０９は、接続端末台数計測部１１１から得られる端末台数に応じて、利用者情報の詳細を表示するか、一部を一覧的に表示するかを決定する。利用者情報表示選択部１２１は、利用者情報表示部１０９からの通知により、利用者情報の項目を選択して表示する。通常、電子会議システムでは、会議の開催前にはネットワークへ接続可能な端末のユーザ情報をウィンドウに一覧表示されるが、各端末に関する情報量は台数によって変化しない。従って、台数が増えると、当然のことながら、一覧表示できず、各ユーザの存在を確認するには、ユーザがスクロールしなければならない上に、全体を把握することが難しかった。
【０１０８】
第３の実施形態によれば、ユーザの数が多くなると自動的に、画面に表示する情報量を減らすことにより、直観的にユーザが全体を把握することが可能とする。
【０１０９】
第４の実施形態
以下、本発明の第４の実施形態を、上記の実施形態と異なる点についてのみ、図１０乃至図１２を参照して詳細に説明する。
【０１１０】
第４の実施形態は、上記の実施形態に加えてさらに、ネットワーク上の各端末の属するセグメントの数に応じて利用情報の表示を最適化する機能を提供する。
【０１１１】
図１０は、本発明の第４の実施形態に係るネットワーク利用者情報管理装置の機能構成を示すブロック図である。尚、図１０において図１、図５、図７と同一部分には同一の符号を用い、異なる部分についてのみ説明する。すなわち図１０に示すネットワーク利用者情報管理装置は、セグメント数計測部１１２を更に具備する。
【０１１２】
セグメント数計測部１１２は、現在ネットワークに接続されている各端末が属するセグメントの数を計測する。
【０１１３】
利用情報表示選択部１２１は、第３の実施形態と同様、自端末通信デバイス管理部１０４，自端末利用者情報管理部１０５，他端末通信デバイス管理部１０７，他端末利用者情報管理部１０８で保持されている情報の中から、利用情報として表示すべき情報を選択する。
【０１１４】
図１１は、第４の実施形態の利用者情報表示最適化処理の処理手順を示すフローチャートである。
【０１１５】
利用者情報表示部１０９は、端末情報の変更通知を受信する（Ｓ７０１）。利用者情報表示部１０９は、セグメント数計測部１１２に、各端末が所属するセグメントの数を問い合わせる。問い合わせを受けたセグメント数計測部１１２は、自端末および他端末利用者管理部に保持されている、現在接続されている各端末の通信デバイスの種類を計測する。この通信デバイスの種類の数がセグメント数として、利用者情報表示部１０９に送信される（Ｓ７０２）。このセグメント数が１つだけならば（Ｓ７０３Ｙ）、利用者情報表示部１０９は、利用者情報表示選択部１２１に通信デバイス情報抜き端末情報取得要求を通知する（Ｓ７０４）。一方、各端末の属するセグメントの数が複数ならば（Ｓ７０３Ｎ）、利用者情報表示選択部１２１に通信デバイス情報付き情報取得要求を通知する（Ｓ７０５）。
【０１１６】
通信デバイス情報抜き端末情報取得要求が届いた利用者情報表示選択部１２１は、自端末利用者情報管理部１０５，他端末利用者情報管理部１０８から、利用者情報を取得し、利用者情報表示部１０９に表示要求を行う。一方、通信デバイス情報付き端末情報取得要求が届いた利用者情報表示選択部１２１は、自端末利用者情報管理部１０５，自端末通信デバイス管理部１０４，他端末利用者情報管理部１０８，他端末通信デバイス管理部１０７から、各端末に関する詳細情報を取得し、利用者情報表示部１０９に表示要求を行う。
【０１１７】
利用者情報表示部１０９は、利用者情報表示選択部１２１が取得した情報を取得し、表示する（Ｓ７０６）。
【０１１８】
図４および図１２に、上記の手順により選択された利用者情報の表示の具体例を示す。
【０１１９】
セグメントの数が１つ、すなわち、ネットワークに接続している全ての端末が同じ通信デバイスを用いている時は、図１２のように、ユーザ情報として、通信デバイス情報を含めない。逆に、セグメントの数が複数の時は、図４のように、ユーザが接続している通信デバイスの種類が表示されている。
【０１２０】
第４の実施形態によれば、以下の効果が得られる。
【０１２１】
利用者情報表示部１０９は、セグメント数計測部１１２から得られるセグメント数に応じて、グループ通信の参加端末全てが同一のセグメントに属する場合には、通信デバイスに関する情報を省略する通信デバイス抜き端末情報取得要求を生成する。利用者情報表示選択部１２１は、利用者情報表示部１０９からの通知により、利用者情報の項目を選択して表示する。
【０１２２】
このため、不要な利用者情報の項目を表示することなく、必要な情報のみを表示することで、直感的にユーザが全体を把握することが可能となる。
【０１２３】
尚、上記の実施形態は、それぞれ単独で実施されてもよく、他の実施形態と適宜組み合わされて実施されてもよいことは言うまでもない。
【０１２４】
また、本発明は上述した実施形態に限定されるものではなく、本発明の本旨を逸脱することなく、種々の変更・変形を成し得ることが可能であることは言うまでもない。また、これらの変更・変形はすべて本発明の範囲内に含まれるものである。
【０１２５】
【発明の効果】
以上説明したように、本発明によれば、以下に記載されるような効果を奏する。
【０１２６】
即ち、複数の通信セグメントを接続するネットワーク環境において、多数の利用者が参加してデータの送受信を行う際に必要となるネットワークの利用情報を容易かつ効率よく提示する機能を提供する。また、速度能力の異なる複数の通信デバイスが存在する場合に、グループ通信を行う各通信デバイスの速度能力の差を均一にしすることで、ネットワークの利用状況に応じて通信デバイスを最適化する機能を提供する。また、ネットワーク環境の変化に応じて、適切なユーザ情報表示を行う機能を提供する。
【０１２７】
これにより、直感的に分かりやすく、ユーザにおかれた環境を把握させることが可能となる。
【０１２８】
このように、本発明を用いれば、複数デバイスを用いて行われる電子会議などの多数ユーザー参加型のグループ通信におけるデータ送受信を効率よく行うことが可能となり、ひいてはネットワークのユーザビリティが向上する。
【図面の簡単な説明】
【図１】本発明の第１の実施形態に係るネットワーク利用者情報管理装置および電子会議システムの機能構成を示すブロック図である。
【図２】第１の実施形態に係るネットワーク利用者情報管理装置ならびに電子会議利用装置が新たにネットワークに接続する際の処理手順を示すフローチャートである。
【図３】第１の実施形態に係るネットワーク利用者情報管理装置ならびに電子会議利用装置が他の端末から端末情報パケットを受信した際の処理手順を示すフローチャートである。
【図４】第１の実施形態の利用者情報表示部１０９が表示する利用者情報の一例を説明する図である。
【図５】本発明の第２の実施形態に係るネットワーク利用者情報管理装置ならびに電子会議利用装置の機能構成を示すブロック図である。
【図６】本発明の第２の実施形態に係る通信デバイス変更処理の処理手順を示すフローチャートである。
【図７】本発明の第３の実施形態に係るネットワーク利用者情報管理装置ならびに電子会議利用装置の機能構成を示すブロック図である。
【図８】本発明の第３の実施形態に係る利用者情報表示切り替え処理の処理手順を示すフローチャートである。
【図９】本発明の第３の実施形態の利用者情報表示部１０９が表示する簡略利用者情報の一例を説明する図である。
【図１０】本発明の第４の実施形態に係るネットワーク利用者情報管理装置ならびに電子会議利用装置の機能構成を示すブロック図である。
【図１１】本発明の第４の実施形態の通信セグメントの数に応じた端末情報の取得処理および利用者情報の表示処理の処理手順を説明するフローチャートである。
【図１２】本発明の第４の実施形態の利用者情報表示部１０９が、通信セグメントの数が１つの場合に表示する利用者情報の一例を説明する図である。
【符号の説明】
１０１，１０２  通信部
１０３  自端末情報送信部
１０４  自端末通信デバイス管理部
１０５  自端末利用者情報管理部
１０６  他端末情報受信部
１０７  他端末通信デバイス管理部
１０８  他端末利用者情報管理部
１０９  利用者情報表示部
１１１  接続端末台数計測部
１１２  セグメント数計測部
１１３  通信速度計測部
１１４  通信デバイス変更部
１２１  利用者情報表示選択部
２００，２１０，２２０  情報端末装置
【図１】
0003600060.tif 000002
【図２】
0003600060.tif 000003
【図３】
0003600060.tif 000004
【図４】
0003600060.tif 000005
【図５】
0003600060.tif 000006
【図６】
0003600060.tif 000007
【図７】
0003600060.tif 000008
【図８】
0003600060.tif 000009
【図９】
0003600060.tif 000010
【図１０】
0003600060.tif 000011
【図１１】
0003600060.tif 000012
【図１２】
0003600060.tif 000013